(57)【要約】【課題】化粧液等の剤を対象部位に、電気刺激のような不快感を与えることなく十分に浸透させるための剤浸透性向上方法及び装置を提供する。【解決手段】剤浸透性向上方法及び装置は大気中で放電によって帯電微粒子を生成し、肌の上に塗った剤に対して帯電微粒子を放出することで、剤の浸透量を増加させる。【選択図】図１
2016059703.tif 000002
【特許請求の範囲】
【請求項１】
大気中で放電によって帯電微粒子を生成し、肌の上に塗った剤に対して帯電微粒子を放出することで、剤の浸透量を増加させることを特徴とする剤浸透性向上方法。
【請求項２】
前記帯電微粒子とともに酸性成分を放出することを特徴とする請求項１に記載の剤浸透性向上方法。
【請求項３】
前記帯電微粒子とともにラジカルを放出することを特徴とする請求項１または２に記載の剤浸透性向上方法。
【請求項４】
前記帯電微粒子として、ラジカルおよび酸性成分の少なくとも一方を含有した液滴を生成して放出することを特徴とする請求項１に記載の剤浸透性向上方法。
【請求項５】
請求項１〜３のいずれか一項に記載の剤浸透性向上方法に使用される装置であって、電極と、前記電極に高電圧を印加する電圧印加部と、を有して帯電微粒子を生成、放出することを特徴とする剤浸透性向上装置。
【請求項６】
請求項４に記載の剤浸透性向上方法に使用される装置であって、電極と、前記電極に水を供給する供給手段と、前記電極に高電圧を印加する電圧印加部と、を有して微小な液滴を生成、放出することを特徴とする剤浸透性向上装置。
【発明の詳細な説明】
【技術分野】
【０００１】
本発明は、保湿や美白等のための有効剤の肌への浸透性を向上させる剤浸透性向上方法及び装置に関するものである。
【背景技術】
【０００２】
化粧水、美容液、乳液等の化粧液に含まれる、保湿美白等のための有効剤を、肌に浸透させる方法及び装置として次のものがある。
例えば、特許文献１のような、不織布に化粧水、美容液等の化粧液を含浸した化粧用マスクが知られている。これは、顔型のシートに化粧液をしみこませ、そのシートを顔の上に所定時間おいておくことで有効剤を肌に浸透させる方法である。この方法では、実際にすべての剤が肌に浸透するわけではなく、シート内に液が残留してしまうという課題がある。また、剤としても、シートに含ませることのできる水溶性の液に限られる。さらに、人の顔は平坦ではないため、鼻の周り、目の周り等に隙間が生じてしまうという課題もある。
【０００３】
一方、イオン導入方法及び装置というものも存在する。イオン導入法は、イオン化した薬剤、イオン化可能な薬剤或いは極性をもつ薬剤を、人の皮膚を通じて供給する方法である。このイオン導入法は、イオン化された物質、イオン化可能な物質或いは極性をもつ物質を含む溶液を、皮膚に塗り、溶液に電流を流すことによって実行される。この方法を利用した例として特許文献２がある。また、特許文献３のような超音波導入法もある。
【先行技術文献】
【特許文献】
【０００４】
【特許文献１】特許第５２０１２８２号公報
【特許文献２】特開２０１２−６１２５１号公報
【特許文献３】特許第４３８７３５６号公報
【発明の概要】
【発明が解決しようとする課題】
【０００５】
これらの方法では、皮膚に装置を接触させて電流や超音波を流すため刺激感があり、長時間の使用が困難である。また、装置を皮膚に接触させて使用するため、例えば顔のような凹凸のある箇所に対しては使いにくいという課題がある。また、イオン化の程度が小さい有効剤に対しては効果が低いという課題もある。
【０００６】
本発明は上記の従来の問題点に鑑みて発明したものであって、化粧液等の剤を対象部位に、電気刺激のような不快感を与えることなく十分に浸透させるための剤浸透性向上方法及び装置を提供することを目的とする。
【課題を解決するための手段】
【０００７】
上記課題を解決するために、本発明による剤浸透性向上方法及び装置は、大気中で放電によって帯電微粒子を生成し、肌の上に塗った剤に対して帯電微粒子を放出することで、剤の浸透量を増加させることを特徴とする。
【０００８】
また、帯電微粒子とともに酸性成分を放出することが好ましい。
また、帯電微粒子とともにラジカルを放出することが好ましい。
また、帯電微粒子として、ラジカルおよび酸性成分の少なくとも一方を含有した液滴を生成して放出することが好ましい。
【発明の効果】
【０００９】
本発明によれば、化粧液に含まれる保湿美白等のための有効剤を、電気刺激のような不快感を与えることなく、十分に対象部位に浸透させることができる。
【図面の簡単な説明】
【００１０】
【図１】第１の実施形態（帯電微粒子を液滴、すなわち帯電微粒子水として生成した例）による剤浸透量向上効果を示すものである。
【図２】第２の実施形態（液滴ではない帯電微粒子）による剤浸透量向上効果を示すものである。
【図３】本発明の帯電微粒子発生装置（剤浸透性向上装置）を示す図である。
【発明を実施するための形態】
【００１１】
以下、第１の実施形態について説明する。剤浸透性向上装置としての帯電微粒子発生装置１は、放電電極２に水を保持させた状態で高電圧を印加することで帯電微粒子水を生成する。この帯電微粒子水は、ラジカルや酸性成分といった有効成分を含む例えば５〜１００ｎｍの液滴である。
【００１２】
帯電微粒子発生装置１は、図３に示すように、放電電極２と、対向電極３と、放電電極２に対して水を供給する水供給手段としてのペルチェユニット４と、放電電極２と対向電極３の間に電圧を印加する電圧印加部５を備えている。なお、対向電極３は省略することも可能である。電圧印加部５は、水を保持した放電電極２に対して高電圧を印加し、静電霧化により帯電微粒子水を生成させるものである。
【００１３】
放電電極２に対して水を供給する水供給手段としては、水溜め部に溜めた水を毛細管現象を利用して供給する手段、加圧により水を供給する手段、重力を利用して流下又は滴下することで水を供給する手段、冷却により空気中の水分を冷却して結露水を生成することで水を供給する手段、放電電極２の材質として空気中の水分を吸水する吸水体を用いた手段等を用いることができる。本実施形態では、ペルチェユニット４を水供給手段として用いる。
【００１４】
ペルチェユニット４は、列設される複数の熱電素子同士を電気的に接続したものであり、図示略のペルチェ入力リード線を介して熱電素子に通電すると、図中上側から図中下側へと熱が移動するように構成している。即ち、図中上側が冷却側、図中下側が放熱側である。ペルチェユニット４の冷却側には冷却部６を接続し、放熱側には放熱部７を接続している。ここでは放熱部７として放熱フィンを設けている。
【００１５】
帯電微粒子発生装置１は次のように使用される。
まず、帯電微粒子発生装置１により帯電微粒子水を生成する。次に、帯電微粒子水を、保湿や美白等のための有効剤を含む化粧液が塗られた人体の対象部位に対して噴霧する。このとき、帯電微粒子水の発生量や噴霧時間は予め設定しておいてもよいし、複数のパターンを設定して使用者がモード選択できるようにしてもよい。なお、噴霧手段は、放電によるイオン風を利用してもよいし、別途送風手段を利用してもよい。
【００１６】
有効剤として、グリセリン、アスコルビルグルコシド（ビタミンＣ）、アルブチンを使用した際の剤浸透量増加結果を図１に示す。化粧液は、有効剤を水に溶かした水溶液とした。剤浸透量はテープストリッピング法（テープストリッピング用のテープを施術箇所に貼り付け角質層を剥がし、３〜１２枚目（計１０枚）に付着した有効剤の量を計測）を用いて計測した。このとき、有効剤塗布後の肌に対して帯電微粒子発生装置１を使用しない場合に比して、帯電微粒子発生装置１を使用した場合の方が、有効剤浸透量が増加している。
【００１７】
正または負に帯電している帯電微粒子水を化粧液塗布後の部位に噴霧することによって、イオン導入を刺激感なく行うことができ、有効剤を無駄なく十分に浸透させることができる。また、必要に応じて帯電量や噴霧時間を調整することで、時間をかけて徐々に有効剤を浸透させることもできる。
【００１８】
酸性成分を含む帯電微粒子水を有効剤の上から噴霧することによって、化粧液を弱酸性化することができる。肌の上で化粧液を弱酸性化することで、弱酸性の肌に有効剤が浸透しやすい状態にすることができる。また、化粧液に酸性成分が入り込むことで化粧液内の濃度が上昇し、有効剤が化粧液内から出て肌へ移動浸透しやすくなり、有効剤を浸透することができる。必要に応じて酸性成分の量や噴霧時間を調整することで、時間をかけて徐々に有効剤を浸透させることもできる。
【００１９】
次に、第２の実施形態について説明する。本実施形態の帯電微粒子発生装置１では、第１の実施形態の帯電微粒子発生装置１とは異なり水供給手段を使用せず、電圧印加部５は、水を保持しない放電電極２に対して電圧を印加し、空気放電により液滴でない帯電微粒子を生成させるものである。その他の点は、第１の実施形態と同様である。
【００２０】
なお、帯電微粒子発生装置１の構成は、第１の実施形態の帯電微粒子発生装置１と同様の構成にして水供給手段の制御を変更したものでもよいし、水供給手段を省略した構成であってもよく、放電により帯電微粒子が生成されるものであれば足りる。
【００２１】
帯電微粒子発生装置１の使用方法については、第１の実施形態と同様である。
有効剤として、グリセリン、アスコルビルグルコシド（ビタミンＣ）、アルブチンを使用した際の剤浸透量増加結果を図２に示す。化粧液は、有効剤を水に溶かした水溶液とした。このとき、有効剤塗布後の肌に対して帯電微粒子発生装置１を使用しない場合に比して、帯電微粒子発生装置１を使用した場合の方が、有効剤浸透量が増加しており、その点では、第１の実施形態と同様の効果を奏することができる。
【符号の説明】
【００２２】
１    帯電微粒子発生装置
２    放電電極
３    対向電極
４    ペルチェユニット
５    電圧印加部
６    冷却部
７    放熱部
【図１】
2016059703.tif 000003
【図２】
2016059703.tif 000004
【図３】
2016059703.tif 000005